(57)【要約】【課題】  両面２層のハイブリッドの光記録媒体と既存の単層の光記録媒体とを選択的に使用する再生装置において、２層目記録層の有無、仕様等に応じて１層目記録層の信号を記録又は再生する態様の変更が必要な場合があるが、従来はこの要求に対応できない。【解決手段】  第１面側から入射する光ビームにより記録又は再生が行われる光記録媒体の第１の記録層（信号面）には、（Ａ）の第１面管理領域３１、第２面情報領域３２及び第１面データ領域３３の順で領域の配置がされる。第２面側から入射する光ビームにより記録又は再生が行われる光記録媒体の第２の記録層（信号面）には、（Ａ）の第２面管理領域３４、第１面情報領域３５及び第２面データ領域３６の順で領域の配置がされる。第２面情報領域３２、第１面情報領域３５には、他方の信号面に関する情報が記録されており、この情報に基づいて再生態様を変更できる。【選択図】            図３
2006236495.tif 000002
【特許請求の範囲】
【請求項１】
第１面側から入射した光ビームにより信号の記録又は再生が可能な第１の信号面と、第２面側から入射した光ビームにより信号の記録又は再生が可能な第２の信号面とを有する光記録媒体において、
前記第１及び第２の信号面のうち、一方の信号面の、データ領域とは別の予め定められた信号面情報領域に、他方の信号面に関する情報が予め記録されていることを特徴とする光記録媒体。
【請求項２】
前記一方の信号面の前記信号面情報領域に記録される前記他方の信号面に関する情報は、該他方の信号面の前記データ領域への記録の有無の情報であることを特徴とする請求項１記載の光記録媒体。
【請求項３】
前記一方の信号面の前記信号面情報領域に記録される前記他方の信号面に関する情報は、該他方の信号面の情報信号の記録密度の情報であることを特徴とする請求項１記載の光記録媒体。
【請求項４】
前記一方の信号面の前記信号面情報領域に記録される前記他方の信号面に関する情報は、該他方の信号面の物理的仕様情報であることを特徴とする請求項１記載の光記録媒体。
【請求項５】
前記一方の信号面の前記信号面情報領域に記録される前記他方の信号面に関する情報は、該他方の信号面の情報信号の信号フォーマット、記録又は再生の条件の情報であることを特徴とする請求項１記載の光記録媒体。
【請求項６】
第１面及び第２面のうち前記第１面側から入射した光ビームにより信号の記録又は再生が可能な信号面のみを有する光記録媒体において、
前記信号面のデータ領域とは別の予め定められた信号面情報領域に、他の信号面が存在しないことを示す情報が予め記録されていることを特徴とする光記録媒体。
【請求項７】
請求項１記載の光記録媒体の記録情報を光ヘッドからの光ビームを用いて再生する再生装置であって、
前記第１及び第２の信号面のうち、一方の信号面の、データ領域とは別の予め定められた信号面情報領域に記録されている、前記他方の信号面に関する情報を再生する第１の再生手段と、
前記再生手段により再生された前記他方の信号面に関する情報に基づいて、前記一方の信号面の再生態様を変更して、前記データ領域の再生を行う第２の再生手段と
を有することを特徴とする再生装置。
【請求項８】
請求項１記載の光記録媒体の記録情報を光ヘッドからの光ビームを用いて再生する再生装置であって、
前記第１及び第２の信号面のうち、一方の信号面の、データ領域とは別の予め定められた信号面情報領域に記録されている、前記他方の信号面に関する情報を再生する再生手段と、
前記一方の面の記録情報の再生において、前記光ヘッドから出射される前記光ビームの光軸を前記光記録媒体の傾きに対応して傾けるチルト制御と、前記光ビームの前記光記録媒体上のスポット位置を記録トラックの走査に追従して制御するトラッキング制御と、前記光ビームの前記光記録媒体上の焦点位置を制御するフォーカス制御とのうち、少なくとも一の制御の態様を、前記再生手段により再生された前記他方の信号面に関する情報に基づいて変更する制御手段と
を有することを特徴とする再生装置。
【発明の詳細な説明】
【技術分野】
【０００１】
本発明は光記録媒体及びその再生装置に係り、特に第１面側から照射した光ビームにより情報を記録又は再生可能な第１の記録層（信号層）と、第２面側から照射した光ビームにより情報を記録又は再生可能な第２の記録層（信号層）とを少なくとも備えた構造の光記録媒体、及びその光記録媒体から記録情報を光ビームを用いて再生する再生装置に関する。
【背景技術】
【０００２】
従来から光ビームにより情報が記録され、また、記録された情報が光ビームの反射光に基づいて再生されるディスク状の各種の光記録媒体が知られている。図９（Ａ）は従来の光記録媒体の第１の例の概略断面構造図を示す。この従来の光記録媒体はＣＤ（Compact Disc）であり、ポリカーボネ−ト等の材料からなる厚さ１.２ｍｍで直径１２ｃｍの円盤状の透明基板ａ上に記録層１１が設けられており、記録層１１の底面の信号面Ｓ１にはトラックピッチ１.６μｍの情報記録トラックが形成され、また記録層１１の上面はレーベル面Ｌ１とされている。
【０００３】
このＣＤは波長７８０ｎｍの光ビームを、開口数（ＮＡ:Numerical Aperture）が０.４５の対物レンズにより、１２で模式的に示すように信号面Ｓ１に集光させて得られた反射光により記録情報が再生される再生専用光ディスクである。
【０００４】
また、図９（Ｂ）は従来の光記録媒体の第２の例の概略断面構造図を示す。この従来の光記録媒体はＤＶＤ（Digital Versatile Disc）であり、上記のＣＤに比し、ＣＤと同じ直径１２ｃｍであるが、より一層の大容量記録再生を目的として、２層の張り合わせ構造としたものである。すなわち、このＤＶＤはポリカーボネ−ト等の材料からなる厚さ０.６ｍｍの円盤状の透明基板ａ上の記録層に信号面Ｓ１が設けられた第１の基板と、ポリカーボネ−ト等の材料からなる厚さ０.６ｍｍの円盤状の透明基板ｂ上の記録層に信号面Ｓ２が設けられた第２の基板とを、互いに信号面Ｓ１、Ｓ２側を対向させて張り合わせた構造であり、上記の２つの記録層は１３として示されている。
【０００５】
このＤＶＤでは、波長６５０ｎｍの光ビームを、開口数（ＮＡ）が０.６の対物レンズにより、１４で模式的に示すように第１面側から信号面Ｓ１に集光させて情報をトラックピッチ０.７４μｍのトラックを形成して記録再生し、また、波長６５０ｎｍの光ビームを、ＮＡが０.６の対物レンズにより、１５で模式的に示すように第２面側から信号面Ｓ２に集光させて情報をトラックピッチ０.７４μｍのトラックを形成して記録再生する。
【０００６】
また、図９（Ｃ）は従来の光記録媒体の第３の例の概略断面構造図を示す。この従来の光記録媒体はＢＤ（Blu-ray Disc）であり、ポリカーボネ−ト等の材料からなる厚さ１.１ｍｍの直径１２ｃｍの円盤状の透明基板ｂ上に記録層１６を設け、その上にポリカーボネ−ト等の材料からなる厚さ０.１ｍｍの円盤状の透明基板ａをカバー層として設けた構造であり、波長４０５ｎｍの光ビームを、開口数（ＮＡ）が０.８５の対物レンズにより、１７で模式的に示すようにカバー層側から記録層１６の信号面Ｓ１に集光して情報がトラックピッチ０.３２μｍのトラックを形成して記録再生される。
【０００７】
ディスク状の光記録媒体（以下、光ディスクともいう）において、記録密度を高密度化するには、ビームスポット径が光源の光ビームの波長に比例し、対物レンズのＮＡに反比例することから、光ビームの波長を短くし、対物レンズのＮＡを大きくする必要がある。図９（Ｃ）に示した構造のＢＤでは、同図（Ｂ）に示した構造のＤＶＤと比較すると、使用する光ビームの波長を短くし、かつ、対物レンズのＮＡも大きくすることで、トラックピッチを半分以下にすることができ、ＤＶＤよりも高密度記録を可能にしている。
【０００８】
ところで、現在光記録媒体の規格は多種多様であり、例えばＣＤ関係の規格には、ＣＤＡ、ＶＣＤ、ＳＶＣＤ、ＣＤグラフィックス、ＣＤ−ＲＯＭ、ＣＤ−Ｒ、ＣＤ−ＲＷ等があり、ＤＶＤ関係の規格には、ＤＶＤ−ＲＯＭ、ＤＶＤ−ＶＩＤＥＯ、ＤＶＤ−ＡＵＤＩＯ、ＤＶＤ−Ｒ、ＤＶＤ−ＲＷ、ＤＶＤ−ＲＡＭ、ＤＶＤ＋Ｒ、ＤＶＤ＋ＲＷ等がある。また、ＢＤ関係の規格には、再生専用のＢＤ−ＲＯＭ、追記型のＢＤ−Ｒ、書き換え型のＢＤ−ＲＥ等がある。更に、ＨＤ−ＤＶＤ関係の規格には再生専用のＨＤ−ＤＶＤ−ＲＯＭ、追記型のＨＤ−ＤＶＤ−Ｒ、書き換え型のＨＤ−ＤＶＤ−ＲＷ等がある。
【０００９】
更に、著作権保護関連の規格としてｆｏｒＰＣ、ｆｏｒＶＩＤＥＯ  ＣＰＲＭ、ＣＰＰＭなどがある。また、各光ディスクには、倍速値の相違と互換性の有無があり、信号のフォーマットも異なるものが存在する。例えば、ＤＶＤ−Ｒの場合では、倍速値が１、２、４、８、１６倍とあり、フォーマットもＶＩＤＥＯ互換やＶＲ規格互換がある。
【００１０】
このような各種の規格が存在する光記録媒体の分野において、近年、より多くのコンテンツを記録及び再生可能にし、貴重な著作権を保護するための世代としての互換性を維持するために、両面２層の光ディスクの２つの記録層として、それぞれ上記のＣＤ、ＤＶＤ（ＨＤ−ＤＶＤ含む）及びＢＤのうちの２種類のディスク記録層を混在させたハイブリッドの光記録媒体の需要がある。
【００１１】
しかしながら、２枚の光情報基板を張り合わせて両面２層のハイブリッドの光記録媒体を構成する場合、２枚の光情報基板が薄型の場合、単板では自重で垂れてしまうので、２枚の光情報基板の間に放射性硬化樹脂層を挟んで一体に張り合わせる構造が知られている（例えば、特許文献１参照）。この両面２層のハイブリッドの光記録媒体によれば、上記のＣＤ、ＤＶＤ（ＨＤ−ＤＶＤ含む）及びＢＤのうちの２種類のディスク記録層を混在させたハイブリッドの光記録媒体を構成することが可能である。
【００１２】
【特許文献１】特許第３３７５４７８号公報
【発明の開示】
【発明が解決しようとする課題】
【００１３】
しかるに、両面２層のハイブリッドの光記録媒体と既存の単層の光記録媒体とを選択的に使用する再生装置において、１層目記録層（信号面）に対して信号を記録又は再生する場合に、１層目記録層の信号面の反対面に２層目記録層（信号面）がある２層の光記録媒体と無い単層の光記録媒体の場合、又は２層目記録層がある場合であっても、その仕様によって、１層目記録層の信号を記録又は再生する態様を変更することが必要な場合があるが、特許文献１記載の従来の光記録媒体では、２枚の光情報基板のそれぞれの記録層は同一の仕様であり、２層目記録層に応じて１層目記録層の信号を記録又は再生する態様の変更は考慮されておらず、上記の要求に対する対応ができない。
【００１４】
本発明は以上の点に鑑みなされたもので、第１面及び第２面のうち、第１面側から入射した光ビームにより第１の記録層（信号面）に信号を記録又は再生する場合に、第２面側から入射した光ビームにより信号を記録又は再生する第２の記録層（信号面）が存在する場合と存在しない場合、又は存在する場合にはその仕様に応じて、再生装置が自動的に最適な再生動作を行い得るような情報を記録した光記録媒体及びその再生装置を提供することを目的とする。
【課題を解決するための手段】
【００１５】
上記の目的を達成するため、第１の発明は、第１面側から入射した光ビームにより信号の記録又は再生が可能な第１の信号面と、第２面側から入射した光ビームにより信号の記録又は再生が可能な第２の信号面とを有する光記録媒体において、第１及び第２の信号面のうち、一方の信号面の、データ領域とは別の予め定められた信号面情報領域に、他方の信号面に関する情報が予め記録されていることを特徴とする。この発明では、一方の信号面の再生時に、信号面情報領域に記録されている他方の信号面に関する情報に基づいた、再生を再生装置に行わせることができる。
【００１６】
ここで、上記の一方の信号面の信号面情報領域に記録される他方の信号面に関する情報が、他方の信号面のデータ領域への記録の有無の情報、他方の信号面の情報信号の記録密度の情報、他方の信号面の物理的仕様情報、他方の信号面の情報信号の信号フォーマット、記録又は再生の条件の情報のいずれでもよい。
【００１７】
また、上記の目的を達成するため、本発明の光記録媒体は、第１面及び第２面のうち第１面側から入射した光ビームにより信号の記録又は再生が可能な信号面のみを有する光記録媒体において、信号面のデータ領域とは別の予め定められた信号面情報領域に、他の信号面が存在しないことを示す情報が予め記録されていることを特徴とする。この発明では、他の信号面が存在しないことを再生装置に識別させることができる。
【００１８】
また、上記の目的を達成するため、本発明の再生装置は、第１の発明の光記録媒体の記録情報を光ヘッドからの光ビームを用いて再生する再生装置であって、第１及び第２の信号面のうち、一方の信号面の、データ領域とは別の予め定められた信号面情報領域に記録されている、他方の信号面に関する情報を再生する第１の再生手段と、再生手段により再生された他方の信号面に関する情報に基づいて、一方の信号面の再生態様を変更して、データ領域の再生を行う第２の再生手段とを有することを特徴とする。この発明では、一方の信号面の再生時に、予め信号面情報領域から他方の信号面に関する情報を再生し、その再生結果に基づいて、一方の信号面の再生態様を変更できる。
【００１９】
また、上記の目的を達成するため、本発明の再生装置は、第１の発明の光記録媒体の記録情報を光ヘッドからの光ビームを用いて再生する再生装置であって、第１及び第２の信号面のうち、一方の信号面の、データ領域とは別の予め定められた信号面情報領域に記録されている、他方の信号面に関する情報を再生する再生手段と、一方の面の記録情報の再生において、光ヘッドから出射される光ビームの光軸を光記録媒体の傾きに対応して傾けるチルト制御と、光ビームの光記録媒体上のスポット位置を記録トラックの走査に追従して制御するトラッキング制御と、光ビームの光記録媒体上の焦点位置を制御するフォーカス制御とのうち、少なくとも一の制御の態様を、再生手段により再生された他方の信号面に関する情報に基づいて変更する制御手段とを有することを特徴とする。
【００２０】
この発明では、一方の信号面の再生時に、予め信号面情報領域から他方の信号面に関する情報を再生し、その再生結果に基づいて、チルト制御、トラッキング制御及びフォーカス制御のうち、一又は二以上の制御を行うようにしたため、他方の信号面により影響される媒体の状況に自動的に対応した適切な制御ができる。
【発明の効果】
【００２１】
本発明によれば、第１面及び第２面のうち、一方の面側から入射した光ビームにより一方の信号面（記録層）に信号を記録又は再生する場合に、他方の面側から入射した光ビームにより信号を記録又は再生する他方の信号面（記録層）に関する情報が、予め信号面情報領域に記録されているので、この信号面情報領域から再生した他方の信号面（記録層）に関する情報に基づいて、他方の信号面が存在する場合と存在しない場合、又は存在する場合にはその仕様に応じて、再生装置が自動的に最適な再生動作を行うことができる。
【発明を実施するための最良の形態】
【００２２】
次に、本発明の実施の形態について図面と共に説明する。図１（Ａ）、（Ｂ）、（Ｃ）は、本発明になる光記録媒体の第１、第２、第３の実施の形態の概略断面構造図を示す。図１（Ａ）に示す第１の実施の形態の光記録媒体は、ポリカーボネ−ト等の材料からなる厚さ１.０ｍｍの直径１２ｃｍの円盤状の透明基板ｃの一方の面に記録層１８を設けると共に他方の面に記録層１９を設け、記録層１８の上には厚さ０.１ｍｍのポリカーボネ−ト等の材料からなる透明基板ａを設け、記録層１９の上には厚さ０.１ｍｍのポリカーボネ−ト等の材料からなる透明基板ｂを設けた構造である。
【００２３】
また、この図１（Ａ）に示す第１の実施の形態の光記録媒体は、第１の面側から２０で模式的に示すように、ＢＤの規格に従い、波長４０５ｎｍの光ビームが、開口数（ＮＡ）０.８５の対物レンズにより記録層１８の信号面Ｓ１に集光され、これにより情報がトラックピッチ０.３２μｍのトラックを形成して記録再生され、また、第２の面側から２１で模式的に示すように、やはりＢＤの規格に従い、波長４０５ｎｍの光ビームが、ＮＡが０.８５である対物レンズにより記録層１９の信号面Ｓ２に集光され、これにより情報がトラックピッチ０.３２μｍのトラックを形成して記録再生される。すなわち、この光記録媒体は、２つの記録層がいずれもＢＤである両面２層のディスク状の光記録媒体である。
【００２４】
図１（Ｂ）に示す第２の実施の形態の光記録媒体は、ポリカーボネ−ト等の材料からなる厚さ０.１ｍｍの直径１２ｃｍの円盤状の透明基板ａと、厚さ１.１ｍｍのポリカーボネ−ト等の材料からなる透明基板ａとの間に、両面がそれぞれ信号面Ｓ１とＳ２とされた記録層２２を設けた構造である。
【００２５】
すなわち、記録層２２は、図２に拡大して示すように、２つの記録層２２ａと２２ｂとが厚さ４０μｍの接着層（接着剤）２２ｃを介して接着された構造であり、記録層２２ａは信号面Ｓ１として、図１（Ｂ）に示す、第１の面側から２３で模式的に示すように、ＢＤの規格に従い、波長４０５ｎｍの光ビームが、開口数（ＮＡ）０.８５の対物レンズにより集光されて情報が図２に示すようにトラックピッチ０.３２μｍのトラックを形成して記録再生される。
【００２６】
また、図２に示す記録層２２ｂは信号面Ｓ２として、図１（Ｂ）に示す、第２の面側から２４で模式的に示すように、ＣＤの規格に従い波長７８０ｎｍの光ビームが、ＮＡが０.４５である対物レンズにより集光されて、情報が図２に示すようにトラックピッチ１.６μｍのトラックを形成して記録再生される。すなわち、この光記録媒体は、２つの記録層がＢＤとＣＤである両面２層のディスク状の光記録媒体である。
【００２７】
図１（Ｃ）に示す第３の実施の形態の光記録媒体は、記録層２５が形成されたポリカーボネ−ト等の材料からなる厚さ０.１ｍｍの直径１２ｃｍの円盤状の透明基板ａと、記録層２６が形成されたポリカーボネ−ト等の材料からなる厚さ０.６ｍｍの直径１２ｃｍの円盤状の透明基板ｂとが、互いの記録層２５と２６を対向させて厚さ０.５ｍｍ中間層ｄを介在させた構造の両面２層のディスク状の光記録媒体である。
【００２８】
また、この図１（Ｃ）に示す第３の実施の形態の光記録媒体は、第１の面側から２７で模式的に示すように、ＢＤの規格に従い、波長４０５ｎｍの光ビームが、ＮＡが０.８５の対物レンズにより記録層２５の信号面Ｓ１に集光され、これにより情報がトラックピッチ０.３２μｍのトラックを形成して記録再生され、また、第２の面側から２７で模式的に示すように、ＤＶＤの規格に従い、波長６５０ｎｍの光ビームが、ＮＡが０.６である対物レンズにより記録層２６の信号面Ｓ２に集光され、これにより情報がトラックピッチ０.７４μｍのトラックを形成して記録再生される。すなわち、この光記録媒体は、２つの記録層がＢＤとＤＶＤである両面２層のディスク状の光記録媒体である。
【００２９】
なお、記録層２６はＤＶＤではなく、ＨＤ−ＤＶＤの記録層と入れ替えてもよい。このＨＤーＤＶＤの記録層は、厚さ０.６ｍｍの直径１２ｃｍの円盤状の透明基板上に形成されており、ＨＤ−ＤＶＤの規格に従い、波長４０５ｎｍの光ビームが、ＮＡが０.８５である対物レンズにより集光され、これにより情報がトラックピッチ０.３２μｍのトラックを形成して記録される。
【００３０】
更に、上記の第１乃至第３の実施の形態の光記録媒体では、記録層１８、２２（２２ａ）、２５が図３（Ａ）に示すように、第１面管理領域３１、第２面情報領域３２及び第１面データ領域３３の順で領域の配置がされ、もう一方の記録層１９、２２（２２ｂ）、２６は図３（Ａ）に示すように、第２面管理領域３４、第１面情報領域３５及び第２面データ領域３６の順で領域の配置がされる点に特徴がある。
【００３１】
ここで、上記の第１面管理領域３１には、図１（Ａ）〜（Ｃ）に示したように第１面側から２０、２３、２７で模式的に示したように集光される光ビームにより、記録層１８、２２（２２ａ）、２５の信号面Ｓ１の第１面データ領域３３の記録データ（コンテンツの音楽や映像情報）を再生するために予め再生される、信号面Ｓ１の物理的仕様情報、コンテンツの内容、コンテンツの制御情報等の管理情報が予め記録されている。
【００３２】
また、第２面情報領域３２には、記録層１８、２２（２２ａ）、２５に対向して設けられているもう一方の記録層１９、２２（２２ｂ）、２６の物理的仕様情報、データ領域３６の情報信号の記録有無、記録密度、記録層１９、２２（２２ｂ）、２６の厚みの情報、記録再生を行うための情報（信号フォーマット、記録又は再生の条件の情報）等の第２の信号面Ｓ２に関する情報が予め記録されている。
【００３３】
一方、上記の第２面管理領域３４には、図１（Ａ）〜（Ｃ）に示したように第２面側から２２、２４、２７で模式的に示したように集光される光ビームにより、記録層１９、２２（２２ｂ）、２６の信号面Ｓ２の第２面データ領域３６の記録データ（コンテンツの音楽や映像情報）を再生するために予め再生される、信号面Ｓ２の物理的仕様情報、コンテンツの内容、コンテンツの制御情報等の管理情報が予め記録されている。また、第１面情報領域３５には、もう一方の記録層１８、２２（２２ａ）、２５の物理的仕様情報、データ領域３３の情報信号の記録有無、記録密度、記録層１８、２２（２２ａ）、２５の厚みの情報、記録再生を行うための情報（信号フォーマット、記録又は再生の条件の情報）等の第１の信号面Ｓ１に関する情報が予め記録されている。
【００３４】
なお、図１（Ｂ）や同図（Ｃ）に示した光記録媒体のように、信号面Ｓ１とＳ２の記録密度が異なる光記録媒体では、記録密度の高い信号面側に反対面の情報領域を有していることが望ましい。これは、記録密度が高い将来の媒体のフォーマットとして、過去のフォーマットとの互換性の情報を記録しておくことが好ましいからである。
【００３５】
次に、本発明の再生装置について説明する。図４は本発明になる再生装置の一実施の形態のブロック図を示す。同図において、ディスク状の光記録媒体４１はスピンドルモータ４２により回転され、光記録媒体４１の記録層に対して光ヘッド４４から照射される光ビームにより光学的に情報が記録され、又は光記録媒体４１からの反射光が光ヘッド４４内の光学系により光電変換される。なお、後述するように、光ヘッド４４は、２種類の波長の光ビームを選択使用できる構成とされている。
【００３６】
光ヘッド４４から得られた反射光の受光信号は、記録再生信号処理部４５に供給されて所定の信号処理が施されて再生信号とされて、記録再生バファ４７に一時蓄積された後出力される。また、再生信号の一部は、各種制御（フォーカス制御、トラッキング制御、チルト制御、フィード制御など）のために用いる信号としてシステム制御部４６に供給され、ここで所定の信号処理が施されてサーボ信号として各種制御部４８に供給される。また、システム制御部４６で得られた信号は、スピンドル制御回路４３に供給されて、スピンドルモータ４２の回転を制御させる。
【００３７】
各種制御部４８は、システム制御部４６からのサーボ信号を入力として受け、そのサーボ信号に基づいて、上記の各種制御（フォーカス制御、トラッキング制御、チルト制御、フィード制御など）を行う。例えば、フォーカス制御の場合は、光ヘッド４４内の対物レンズの光ビームの光軸方向（光記録媒体４１の信号面に対して垂直方向）にフォーカス誤差が少なくなるように（光ビームが光記録媒体４１の信号面に焦点一致して集光するように）、対物レンズを移動制御し、トラッキング制御の場合は、トラッキング誤差が少なくなるように、すなわち、ビームスポットが光記録媒体４１上のトラックを追従走査するように、対物レンズにより集光されるビームスポットを媒体半径方向に移動制御する。また、フィード制御は指示されたアドレス位置へ光ヘッド４４を移動制御する。これらの制御自体は周知であり、また本発明の要旨とは直接の関係がないので詳細な説明は省略する。チルト制御については後述する。
【００３８】
図５は光ヘッド４４の一例の構成図を示す。同図において、光源装置５１は２種類の半導体レーザと、その２種類の半導体レーザの一方をモニタ用受光素子５６から得た媒体の種類の情報に基づいて選択使用する切替部などから構成されている。光記録媒体４１が例えば、図１（Ｂ）に示した断面構造の光記録媒体用の再生装置である場合は、光ヘッド４４はＢＤの規格で定められた波長４０５ｎｍの光ビームを出射する第１の半導体レーザと、ＣＤの規格で定められた波長７８０ｎｍの光ビームを出射する第２の半導体レーザとを選択使用する構成とされており、また、対物レンズ５５もＢＤの規格で定められた、ＮＡが０.８５の第１の対物レンズと、ＣＤの規格で定められた、ＮＡが０.４５の第２の対物レンズとを選択使用する構成とされている。
【００３９】
また、光記録媒体４１が例えば、図１（Ｃ）に示した断面構造の光記録媒体用の再生装置である場合は、光ヘッド４４はＢＤの規格で定められた波長４０５ｎｍの光ビームを出射する第１の半導体レーザと、ＤＶＤの規格で定められた波長６５０ｎｍの光ビームを出射する第３の半導体レーザとを選択使用する構成とされており、また、対物レンズ５５もＢＤの規格で定められた、ＮＡが０.８５の第１の対物レンズと、ＤＶＤの規格で定められた、ＮＡが０.６の第２の対物レンズとを選択使用する構成とされている。
【００４０】
光源装置５１から出射された光ビーム（レーザ光）Ｌは、コリメータレンズ５２で平行光とされ、３ビームを形成するための回折格子５３、ビームスプリッタ５４を透過して対物レンズ５５により光記録媒体４１の記録層に集光されてビームスポットを形成する。また、この光記録媒体４１から反射された反射光は、対物レンズ５５を透過してビームスプリッタ５４で反射され、一部はモニタ用受光素子５６で受光され、残りは集光レンズ５７で集光され、後述するホログラム素子５８によりメインビームと複数のサブビームとされた後、後述する受光部５９に入射して受光される。
【００４１】
モニタ用受光素子５６は上記の反射光を光電変換して、光記録媒体４１の例えば図３（Ａ）に示した第１面管理領域３１に記録されている記録層の信号面Ｓ１の物理的仕様情報（媒体の種類）を検出し、その検出結果を光源装置５１に供給して半導体レーザを切替制御すると共に、対物レンズ５５も切替制御する（対物レンズ５５の切替機構は図５では省略）。光源装置５１は、上記の物理的仕様情報が、例えば、光記録媒体４１が図１（Ｃ）に示した断面構造の光記録媒体で、かつ、その第１面側から信号面Ｓ１に照射された光ビームがＢＤの規格に従う波長４０５ｎｍの光ビームであるときは、半導体レーザの切替は行わず、ＤＶＤの規格に従う６５０ｎｍの光ビームであるときには、前記第１の半導体レーザへの切替を行う。また、これと共に対物レンズの切替も行う。
【００４２】
また、フォーカス制御とトラッキング制御を行い、図４の光ヘッド４４を光記録媒体４１のトラック上にトラッキングして、信号を読み出すために、図３（Ａ）の第１面データ領域３３の内周側にある第１面管理領域３１に移動して、その第１面管理領域３１を受光部５９により得られた信号に基づいて読み出し、また、第２面情報領域３２の記録情報も読み出す。その後、図４のシステム制御部４６は第１面管理領域３１から読み出した第１面データ領域３３の論理、アプリケーション仕様に基づいて、第１面データ領域３３の音楽や映像情報を再生する。
【００４３】
また、第２面情報領域３２から読み出した第２面情報に基づいて、図４のシステム制御部４６は、信号面Ｓ１の反対側の信号面Ｓ２が、ＢＤ規格の信号か、ＣＤ規格の信号か、あるいはＤＶＤ規格の信号かが分かる。
【００４４】
ここで、第２面情報領域３２から読み出した第２面情報に基づいて、信号面Ｓ１がＢＤ規格の信号が記録再生され、信号面Ｓ２がＣＤ規格の信号が記録再生される図１（Ｂ）に示した断面構造の光記録媒体であると判別した場合は、図６（Ａ）に６１で示すように、２０℃では媒体の変形はないが、６０℃では図１（Ｂ）に示したように第１面から厚さ０.１ｍｍの透明樹脂層ａを介して設けられた信号面Ｓ１は金属の反射膜の線膨張係数が低いので、変形が少ないが、信号面Ｓ２側は第２面から厚さ１.１ｍｍの透明樹脂層ｂのみを介して設けられており、線膨張係数が高く、信号面Ｓ１側より大きく膨張するので、図６（Ｂ）に６１’で示すように、信号面Ｓ１側へ湾曲する。この場合は、光ヘッド４４は光軸を垂直方向から図６（Ｂ）に点線の三角印で示すように外周方向に傾斜させるチルト制御を行って再生又は記録をしなければならない。
【００４５】
一方、第２面情報領域３２から読み出した第２面情報に基づいて、信号面Ｓ１及びＳ２が共にＢＤ規格の信号が記録再生される図１（Ａ）に示した断面構造の光記録媒体であると判別した場合は、第１面から厚さ０.１ｍｍの透明樹脂層ａを介して信号面Ｓ１が設けられ、同様に第２面からも０.１ｍｍの透明樹脂層ｂを介して信号面Ｓ２が設けられて対称構造となっているので、２０℃及び６０℃のいずれの場合も、図６（Ｃ）、（Ｄ）に６２で示すように媒体の変形は大幅に軽減され、基本的には変形しない。
【００４６】
そこで、本実施の形態では、第２面情報領域３２から読み出した第２面情報に基づいて、光記録媒体の種別を識別し、検出したチルト量に基づいて、公知のチルト制御機構により光ヘッド４４をチルト方向に制御するチルト制御を行う。このチルト制御の方法としては例えば、以下の３つがあげられる。
【００４７】
第１のチルト制御方法は、装置内の光記録媒体４１の温度を検出し易い位置に温度センサを設けて、温度を定期的に測定すると共に、第２面情報領域３２から読み出した第２面情報に基づいて、温度に対応して発生するチルト量を予めテーブル化しておき、測定した温度に対応して参照したテーブル化したチルト量からチルト制御のゲイン等のパラメータを設定する方法である。
【００４８】
第２のチルト制御方法は、光ヘッド４４に搭載されたチルト量を検出するチルトセンサからの結果に基づいて、チルト制御を行うに際し、第２面情報領域３２から読み出した第２面情報に基づいて、チルト制御に対する制御ループのサーボゲインを変更する方法である。つまり、第２面情報に基づいて、チルトが大きく発生すると判断した場合は、サーボゲインを高くする。
【００４９】
ここで、上記の光ヘッド４４に搭載されたチルト量を検出するチルトセンサとして、例えば本出願人が先に特開２００３−６７９５６号公報にて開示した光ピックアップ装置のチルトセンサを用い得る。この本出願人が開示した公報記載の光ピックアップ装置（光ヘッド）では、図５に示すように、光ディスク４１からの反射光が、対物レンズ５５を透過し、ビームスプリッタ５４により反射された後に、集光レンズ５７を通過し、更にホログラム素子５８にてメインビームと複数のサブビームの光束に分離されて、受光部５９に入射する光学系において、ホログラム素子５８がトラッキングエラーの検出のため光束をラジアル方向に２分割し、それらは±１次光に分かれるために、計４分割とする。
【００５０】
この４分割された光束の分割方向と、３ビームの分割方向のなす角度はおおよそ９０度である。よって、受光部５９上の光束は１２分割となる。ホログラム素子５８を透過した後の光束は図７に示す軌跡をとり、受光部５９により受光される。なお、図７においてはサブビームの軌跡の記載は省略している。
【００５１】
受光部５９は半導体素子よりなり、その受光面は３行×４列の１２個のブロック７０に分割されている多分割型の構成とされている。図７中、中央の列の４個のブロック７０は、メインビームを受光するためのメイン素子ブロック７０Ｃであり、メインブロック群７２を形成している。そして、このメインブロック群７２の上側の列及び下側の列のそれぞれ４個のブロック７０は、サブビームを受光するためのサブ素子ブロック７０Ｂであり、サブブロック群７４を形成している。また、メインブロック群７２の４つのブロック７０Ｃは、それぞれ水平方向に４分割されて複数の素子片７８を形成している。
【００５２】
これに対して、メインブロック群７２の図中の上側に位置するサブ素子ブロック７４内の４つのブロック７０Ｂの内、図中、右側の２つのブロック７０Ａ及び下側に位置するサブ素子ブロック７４内の４つのブロック７０Ｂの内、右側の２つのブロック７０Ａは、共にそれぞれ水平方向へ５分割されて素子片８０を形成している。従って、この受光部５９の受光面は全体で４０分割されていることになる。
【００５３】
ここで、図８に示すように、メインブロック群７２の４つのブロック７０Ｃは、フォーカスエラー検出(スポットサイズ法)、プッシュプル法のトラッキングエラー検出、トラッキングエラー検出(差動プッシュプル方式のメインビーム検出)、ＲＦ検出を行うために使用される。また、上下のサブブロック群７４のそれぞれ図中、左側の２つのブロック７０Ｂは、トラッキング検出(差動プッシュプル方式のサブビーム検出)を行うために用いられる。
【００５４】
また、上下のサブブロック群７４のそれぞれ図中、右側の２つのブロック７０Ａは、チルトエラー検出を行うために使用される。図８に示すように、チルトエラー検出に用いる各ブロック７０Ａは、前述したようにそれぞれ水平方向へ分割された５つの素子片７８よりなり、その内の中央部に位置する３つの素子片７８が実際にチルトエラー検出信号を得るために用いられる。ここでチルトエラー検出信号の形成に用いる各素子片７８に、図８に示すように符号ＦＧ〜ＦＩ、ＦＪ〜ＦＬ、ＥＡ〜ＥＣ、ＥＤ〜ＥＦを付すと、チルトエラー検出信号は、下記信号Ｔ１、Ｔ２の差分として表される。
【００５５】
Ｔ１＝ＥＡ十ＥＣ十ＥＤ十ＥＦ十ＦＨ十ＦＫ
Ｔ２＝ＥＢ十ＥＥ十ＦＧ十ＦＩ十ＦＪ十ＦＬ
第３のチルト制御方法は、温度センサやチルトセンサを設けないで、チルト制御を行う場合に、第２面情報領域３２から読み出した第２面情報に基づいて、チルト制御のサーボ系のサーボゲインを変更する方法である。また、この制御方法では、その第２面情報に基づいて、チルト制御だけでなく、フォーカス制御、トラッキング制御のサーボゲインも変更すると共に、チルト制御やフォーカス制御、トラッキング制御系に与えるオフセット量を変更する。つまり、第２面情報領域３２から読み出した第２面情報に基づいて、チルトが大きく発生すると判断した場合には、サーボゲインを高くする。
【００５６】
以上のチルト制御方法において、チルト量の制御は、ディスク状の光記録媒体の場合に、内周はディスクランプによって固定されているため、チルトはあまり発生せず、自由端である外周側で大きく発生するので、内周から外周方向に、アドレス情報等に基づいて、ゲインを上げるように制御をする。このゲイン係数はアドレスと同期してテーブルとして、リード・オンリ・メモリ（ＲＯＭ）等に記憶しておく。また、加算又は減算されて記録媒体上に固定されているアドレス値に対して、所定の関数を用いて演算する方法で生成する。
【００５７】
なお、光記録媒体の変形によりチルト量が変化することで、トラッキングにも直接的にサーボ系にオフセットが生じるので、同様にチルト量に基づいて、トラッキングのオフセット量を制御する。
【００５８】
また、ＢＤやＨＤ−ＤＶＤ等の媒体に対する記録再生においては、対物レンズのＮＡが０.８５と高いために、光記録媒体表面と対物レンズまでの距離は０.１ｍｍから０.３ｍｍ程度と短く、変形量がこの値に十分影響する値になると、内周から外周へのシーク時に、対物レンズ等の光ヘッドが光記録媒体に接触する問題も発生する。
【００５９】
そこで、本実施の形態では、信号面Ｓ１の再生時は第２面情報領域の情報に基づいて、信号面Ｓ２の再生時は第１面情報領域の情報に基づいて、光記録媒体の変形が大きいと予想される場合には、シーク時のフォーカス制御ループのサーボゲインを高く制御する。すなわち、サーボオン中のフォーカス制御ループのサーボゲインを高くすることによって、最良のフォーカス位置を位置誤差量を小さくして保ち、外乱や光記録媒体が変形しても、対物レンズが最良のフォーカス位置から大きくずれないように光記録媒体との距離を略一定に保つので、光記録媒体と光ヘッドとの衝突を回避することができる。
【００６０】
また、信号面Ｓ１の再生時は第２面情報領域の情報に基づいて、信号面Ｓ２の再生時は第１面情報領域の情報に基づいて、上記のチルト制御、トラッキング制御、フォーカス制御以外に、前述したように温度変化に応じて媒体の変形に伴い、再生信号のサンプリング位相を変更するなどの再生態様を変更することも可能である。
【００６１】
更に、これ以外にも第２面の記録層の有無による熱の伝搬の速度の違いによる、フォーカスやトラッキングのサーボ系に生じるオフセット等の制御態様の対応でもよい。以上のように、本実施の形態の再生装置によれば、光ビームが照射されている記録層とは反対側に設けられている別の記録層の物理的性質の情報を、再生する側の記録層の情報として読み出すようにしているため、再生又は記録の制御態様を最適化することができる。
【００６２】
なお、本発明は以上の実施の形態に限定されるものではなく、例えば図９（Ａ）及び（Ｃ）に示した従来の単層の光記録媒体に図３（Ｂ）に示す情報を記録するようにしてもよく、また、図９（Ｂ）に示した従来の両面２層の光記録媒体に図３（Ａ）に示す情報を記録するようにしてもよい。
【００６３】
図９（Ａ）及び（Ｃ）に示した光記録媒体に図３（Ｂ）に示す情報を記録する本発明の光記録媒体の他の実施の形態では、単一の記録層を、図３（Ｂ）に示すように、第１面管理領域３７、第２面情報領域３８及び第１面データ領域３９の順で領域の配置がされる。第１面管理領域３７には、第１面データ領域３９の記録データ（コンテンツの音楽や映像情報）を再生するために予め再生される、記録層（信号面）の物理的仕様情報、コンテンツの内容、コンテンツの制御情報等の管理情報が予め記録される。
【００６４】
また、第２面情報領域３８には、第２面側から光ビームが照射されて記録再生が行われる記録層（信号層）が存在しないことが記載される。再生装置は、この第２面情報領域３８を再生してその再生情報を記憶しておくことにより、ユーザがその光記録媒体を再生装置から取り出して確認しなくても、第２面側の情報が無いことを簡単に確認することができる。なお、第２面情報領域３８には、第１面のレーベル情報を記録するようにしてもよい。
【００６５】
また、本発明は、両面２層の光記録媒体に限定されるものではなく、第１面側から情報を記録再生できる複数の記録層と、第２面側から情報を記録再生できる一又は二以上の記録層とが、中間層を介在させて対向配置された構造の光記録媒体にも本発明を適用できる。
【図面の簡単な説明】
【００６６】
【図１】本発明の光記録媒体の第１乃至第３の実施の形態の概略断面構造図である。
【図２】図１中の光記録媒体の記録層の一例の拡大図である。
【図３】本発明の光記録媒体の記録層の記録領域の各実施の形態の配置図である。
【図４】本発明の再生装置の一実施の形態のブロック図である。
【図５】図４中のチルトエラー検出手段を備えた、本出願人の提案になる光ヘッドの一例の構成図である。
【図６】本発明の光記録媒体で変形が起こる場合と起こらない場合の説明図である。
【図７】図５中のホログラム素子面を透過した後の光の軌跡の一例の説明図である。
【図８】図５中の受光部の一例の説明図である。
【図９】従来の光記録媒体の各例の概略断面構造図である。
【符号の説明】
【００６７】
１８、２２ａ、２５  第１面側記録層
１９、２２ｂ、２６  第２面側記録層
２２  記録層
２２ｃ  接着層
３１、３７  第１面管理領域
３２、３８  第２面情報領域
３３、３９  第１面データ領域
３４  第２面管理領域
３５  第１面情報領域
３６  第２面データ領域
４１  光記録媒体
４４  光ヘッド
４５  記録再生信号処理部
４６  システム制御部
４７  各種制御部
５１  光源装置
５５  対物レンズ
５６  モニタ用受光素子
５８  ホログラム素子
５９  受光部
【図１】
2006236495.tif 000003
【図２】
2006236495.tif 000004
【図３】
2006236495.tif 000005
【図４】
2006236495.tif 000006
【図５】
2006236495.tif 000007
【図６】
2006236495.tif 000008
【図７】
2006236495.tif 000009
【図８】
2006236495.tif 000010
【図９】
2006236495.tif 000011